(57)【要約】【課題】  上蓋を開蓋するだけで簡単に開封することができ、容器使用時も上蓋を別に保管する必要がなく、簡単に未開封かどうかを視認することにより、不正開封を判別することができる封印付きヒンジキャップを提供すること。【解決手段】  容器本体の口筒部に装着され、注出口を有する注出中栓と、注出中栓に装着されるキャップ本体と、キャップ本体にヒンジを介して連設される上蓋と、注出口を密封する移行栓とからなり、キャップ本体と上蓋は、少なくとも一方が透明または半透明に形成され、移行栓は、上蓋に装着される栓本体と、注出中栓と係合して上昇が規制される封印リングと、栓本体と封印リングとを連結する破断可能な連結部とを具え、最初の開蓋時に、栓本体と封印リングとの連結部が破断して、封印リングが下降することを特徴とする。【選択図】  図１
2018104073.tif 000002
【特許請求の範囲】
【請求項１】
容器本体の口筒部に装着され、注出口を有する注出中栓と、注出中栓に装着されるキャップ本体と、キャップ本体にヒンジを介して連設される上蓋と、注出口を密封する移行栓とからなり、
キャップ本体と上蓋は、少なくとも一方が透明または半透明に形成され、
移行栓は、上蓋に装着される栓本体と、注出中栓と係合して上昇が規制される封印リングと、栓本体と封印リングとを連結する破断可能な連結部とを具え、
最初の開蓋時に、栓本体と封印リングとの連結部が破断して、封印リングが下降することを特徴とする封印付きヒンジキャップ。
【請求項２】
上蓋と栓本体は、互いに位置合わせする位置合わせ部材を有し、
移行栓は、上蓋に対して位置合わせされることを特徴とする請求項１に記載の封印付きヒンジキャップ。
【請求項３】
栓本体の下端部は、ヒンジ側よりヒンジと反対側が上方に傾斜するように形成されていることを特徴とする請求項１または２に記載の封印付きヒンジキャップ。
【請求項４】
連結部は、複数のブリッジであり、
ブリッジは、ヒンジ側のブリッジからヒンジと反対側のブリッジに向かい封印リングの上端面との連設部の横断面面積が徐々に小さくなるよう形成されていることを特徴とする請求項１〜３のいずれかに記載の封印付きヒンジキャップ。
【請求項５】
連結部は、破断可能な薄肉に形成された弱化部であり、
弱化部のヒンジと反対側に所定の範囲で切断窓が穿設され、
切断窓の両側部は、側方に向かって角部が形成されていることを特徴とする請求項１〜３のいずれかに記載の封印付きヒンジキャップ。
【発明の詳細な説明】
【技術分野】
【０００１】
本発明は、開蓋に伴って注出筒部を有するキャップ本体側から上蓋側に移行して注出口を開封する移行栓を備えたヒンジキャップ、とくに、移行栓により未開封かどうかを視認することができる封印付きヒンジキャップに関するものである。
【背景技術】
【０００２】
容器体の口頸部に内容液を注出する注出筒を備えた注出筒部材を装着し、注出筒に注出口を閉塞する移行中栓を嵌着して、オーバーキャップを螺合して閉蓋したとき、オーバーキャップに設けられた嵌合筒が移行中栓に嵌合し、オーバーキャップを螺脱開蓋したとき、移行中栓がオーバーキャップ側に移行して注出口を開口し、開封するようにした移行中栓付き容器が従来から知られている（例えば、特許文献１参照）。  
【０００３】
この特許文献１記載の移行中栓付き容器は、移行中栓により、開封時に、破断部が切断する音や感触が使用者に伝わり、未開封であることが判別できるという優れた特徴を備えている。
【先行技術文献】
【特許文献】
【０００４】
【特許文献１】特開２０１２−４６２０９号公報
【発明の概要】
【発明が解決しようとする課題】
【０００５】
しかしながら、上記特許文献１記載の移行中栓付き容器では、オーバーキャップが注出筒部材に螺合しているので、開蓋したオーバーキャップを別に保管しなければならないという問題があった。
また、未開封であることを確認するため、開蓋して音や感触を確かめる必要があり、実際に開蓋作業をしないと、未開封かどうか解らなかった。
【０００６】
本発明は、上記問題を解決することを課題とし、上蓋を開蓋するだけで簡単に開封することができ、容器使用時も上蓋を別に保管する必要がなく、簡単に未開封かどうかを視認することにより、不正開封を判別することができる封印付きヒンジキャップを提供することを目的とする。
【課題を解決するための手段】
【０００７】
本発明は、上記の課題を解決するため、封印付きヒンジキャップとして、容器本体の口筒部に装着され、注出口を有する注出中栓と、注出中栓に装着されるキャップ本体と、キャップ本体にヒンジを介して連設される上蓋と、注出口を密封する移行栓とからなり、キャップ本体と上蓋は、少なくとも一方が透明または半透明に形成され、移行栓は、上蓋に装着される栓本体と、注出中栓と係合して上昇が規制される封印リングと、栓本体と封印リングとを連結する破断可能な連結部とを具え、最初の開蓋時に、栓本体と封印リングとの連結部が破断して、封印リングが下降することを特徴とする構成を採用する。
【０００８】
移行栓の具体的実施例として、上蓋と栓本体は、互いに位置合わせする位置合わせ部材を有し、移行栓は、上蓋に対して位置合わせされることを特徴とする構成、さらに、栓本体の下端部は、ヒンジ側よりヒンジと反対側が上方に傾斜するように形成されていることを特徴とする構成を採用する。
【０００９】
移行栓の連結部の具体的実施例として、連結部は、複数のブリッジであり、ブリッジは、ヒンジ側のブリッジからヒンジと反対側のブリッジに向かい封印リングの上端面との連設部の横断面面積が徐々に小さくなるよう形成されていることを特徴とする構成を採用し、別実施例として、連結部は、破断可能な薄肉に形成された弱化部であり、弱化部のヒンジと反対側に所定の範囲で切断窓が穿設され、切断窓の両側部は、側方に向かって角部が形成されていることを特徴とする構成を採用する。
【発明の効果】
【００１０】
本発明の封印付きヒンジキャップは、容器本体の口筒部に装着され、注出口を有する注出中栓と、注出中栓に装着されるキャップ本体と、キャップ本体にヒンジを介して連設される上蓋と、注出口を密封する移行栓とからなり、キャップ本体と上蓋は、少なくとも一方が透明または半透明に形成され、移行栓は、上蓋に装着される栓本体と、注出中栓と係合して上昇が規制される封印リングと、栓本体と封印リングとを連結する破断可能な連結部とを具えているので、ワンタッチで上蓋を開蓋することによって簡単に開封することができるとともに、移行栓の栓本体と封印リングとの連結状態および封印リングの有無をキャップ本体と上蓋の少なくとも一方を透過して外から視認することで簡単に未開封かどうかを確認でき、不正開封を判別することができる。
【図面の簡単な説明】
【００１１】
【図１】本発明の第１実施例の封印付きヒンジキャップの一部断面側面図である。
【図２】第１実施例の移行栓を示す図であり、（ａ）は上面図、（ｂ）は断面側面図、（ｃ）は図（ｂ）のＸ−Ｘ線における断面矢視図である。
【図３】第１実施例の封印付きヒンジキャップの開蓋時の一部断面側面図である。
【図４】第１実施例の封印付きヒンジキャップを最初に開蓋した後に閉蓋した時の一部断面側面図である。
【図５】第２実施例の移行栓を示す図であり、（ａ）は上面図、（ｂ）は断面側面図、（ｃ）は正面図である。
【図６】第２実施例の封印付きヒンジキャップの開蓋時の一部断面側面図である。
【発明を実施するための形態】
【００１２】
次に、本発明の封印付きヒンジキャップについて、実施例を示した図面を参照して説明する。
【実施例１】
【００１３】
図１において、Ａは容器本体、Ｂは容器本体Ａに装着され、注出口を有する注出中栓、Ｃは注出中栓Ｂに装着されるヒンジキャップ、Ｄは注出中栓Ｂの注出口を密封する移行栓である。
ヒンジキャップＣは、注出中栓Ｂに装着されるキャップ本体Ｃ１と、キャップ本体Ｃ１にヒンジＣ２を介して開閉可能に取り付けられ、内方に移行栓Ｄが装着される上蓋Ｃ３とを具え、ヒンジキャップＣは、少なくともキャップ本体Ｃ１と上蓋Ｃ３の一方が透明または半透明に形成されている。
キャップ本体Ｃ１あるいは上蓋Ｃ３のどちらか一方を透明または半透明にした場合は、キャップ本体Ｃ１と上蓋Ｃ３が別部材で構成されることになる。
また、キャップ本体Ｃ１だけを透明または半透明にした場合は、封印リングＤ３の外面に、例えば「開封済」等と表記しておくと、上蓋Ｃ３を開封した際、封印リングＤ３が落下するので、キャップ本体Ｃ１の側面から確認することができる。
移行栓Ｄは、ヒンジキャップＣの上蓋Ｃ３に装着され、注出中栓Ｂの注出口を密封する栓本体Ｄ１と、注出中栓Ｂと係合して上昇が規制される封印リングＤ３と、栓本体Ｄ１と封印リングＤ３とを連結する破断可能な連結部として、複数配設されたブリッジＤ２とを具えている。
【００１４】
容器本体Ａの口筒部１には、外周面に環状の係合突条２が設けられ、後述する注出中栓Ｂの中栓本体Ｂ１を嵌合係止して注出中栓Ｂを口筒部１に装着している。
【００１５】
注出中栓Ｂは、容器本体Ａの口筒部１に装着される中栓本体Ｂ１と、中栓本体Ｂ１の内方に装着され、注出する流量を調整する弁部材Ｂ２と、弁部材Ｂ２を中栓本体Ｂ１に固定する固定部材Ｂ３とからなっている。
【００１６】
中栓本体Ｂ１は、注出口を形成する注出筒部５と、注出筒部５の下端から拡径して連設され、外周に移行栓Ｄの封印リングＤ３が装着される移行栓装着筒部６と、移行栓装着筒部６の下端面外縁から拡径して連設され、外周にキャップ本体Ｃ１が装着されるキャップ装着筒部７と、キャップ装着筒部７の下端に連設され、容器本体Ａを嵌合係止する容器嵌合部８とからなっている。
注出筒部５の先端は、外周に向けて末広がりに形成されるラッパ状湾曲部９が形成されている。
【００１７】
移行栓装着筒部６は、内周に弁部材Ｂ２を下から挿入し、弁部材Ｂ２外周と係合する弁部材係合部１０が形成され、外周の上部には、封印リングＤ３を係止する係止突部１１が突設されている。
【００１８】
キャップ装着筒部７は、内周に内側面が固定部材Ｂ３外周と係合する固定部材係合リブ１２が複数配設され、外周の上部には、キャップ本体Ｃ１を装着する装着突部１３が突設されている。
固定部材係合リブ１２の内側面上部には、固定部材Ｂ３の下面外縁と係合する係合突部１４が突設されている。
【００１９】
容器嵌合部８は、キャップ装着筒部７の下端に連設されたフランジ状の上壁１５と、上壁１５の下面に垂設される外縁の外筒１６と、その内周側の内筒１７とからなり、外筒１６の内周面と内筒１７の外周面との間に、容器本体Ａの口筒部１の上部が嵌合挟持される。
外筒１６の内周面下部には、容器本体Ａの係合突条２に嵌合する係合凹部１８が形成され、また、外筒１６の下端部付近には、容器を使用した後に注出中栓Ｂを容器本体Ａから分別廃棄するための分離機構が設けられ、外筒１６の外周面に分離タブ１９が連設されている。
【００２０】
弁部材Ｂ２は、頂壁２０と、頂壁２０の外縁に垂設され、外周が中栓本体Ｂ１の弁部材係合部１０内周と係合する係合筒２１とからなり、少なくとも頂壁２０は変形可能な薄肉に形成されている。
頂壁２０には、中央に上面から見て十字状のスリット２２が穿設されている。
【００２１】
固定部材Ｂ３は、外周が弁部材Ｂ２の係合筒２１内周に係合する筒壁２３と、筒壁２３の下端に連設されたフランジ壁２４とからなっている。
フランジ壁２４は、上面が係合筒２１の下端面および中栓本体Ｂ１の移行栓装着筒部６の下端面内縁に当接し、側周面が固定部材係合リブ１２の上部に形成された係合突部１４と嵌合することで、弁部材Ｂ２を中栓本体Ｂ１に固定するように形成されている。
【００２２】
キャップ本体Ｃ１は、リング状の上壁２５と、上壁２５の内縁に垂設される内周壁２６と、上壁２５の外縁に垂設され、外周上端の所定の位置にヒンジＣ２を連設する外周壁２７とからなっている。
注出中栓Ｂにキャップ本体Ｃ１を装着した際に、内周壁２６は、下端面が中栓本体Ｂ１の容器嵌合部８の上壁１５の上面に当接し、内周面がキャップ装着筒部７の装着突部１３外面に当接するように形成され、また、内周壁２６の内周面の所定の位置には、上面部が装着突部１３の下面部に係合する係合突部２８が突設されている。
【００２３】
上蓋Ｃ３は、頂壁３０と、頂壁３０の外縁に垂設され、外周下端の所定の位置にヒンジＣ２が連設される側周壁３１とからなり、頂壁３０の下面には、移行栓Ｄを装着する装着筒壁３３と、装着筒壁３３の内方のヒンジＣ２側に配設される位置合わせ突部３４とが垂設されている。
側周壁３１のヒンジＣ２と反対側の外周上端部には、摘み片３５が突設されている。
装着筒壁３３の内周下部には、係合凹部３６が凹設されている。
【００２４】
図１、図２に示すように、栓本体Ｄ１は、下面が中栓本体Ｂ１の注出筒部５上端部に当接するリング状の上壁４０と、上壁４０の内縁に垂設され、注出筒部５の内周に挿入される密封栓部４１と、上壁４０の外縁に連設されるリング状の係合周壁部４２と係合周壁部４２の下面外縁から垂設される側周壁部４３とからなっている。
係合周壁部４２は、上面が上蓋Ｃ３の頂壁３０下面に当接し、外周が装着筒壁３３内周に係合するように形成され、外周の所定の位置には係合凹部３６に係合する係止突部４５が突設され、また、上面のヒンジＣ２側には、位置合わせ突部３４が挿入される位置合わせ凹部４６が凹設されている。
側周壁部４３の下端部は、図１、図２（ｂ）に示すように、ヒンジＣ２側に比べヒンジＣ２と反対側が高さｈ分だけ上方に傾斜するように形成されている。
【００２５】
複数のブリッジＤ２は、図２（ｂ）、図２（ｃ）に示すように、栓本体Ｄ１の側周壁部４３の下端面外縁から封印リングＤ３の上端面内縁との間で、栓本体Ｄ１の側周壁部４３の傾斜に合わせてヒンジＣ２側のブリッジＤ２ａからヒンジＣ２と反対側のブリッジＤ２ｂに向かい徐々に高くなるとともに、ヒンジＣ２側のブリッジＤ２ａからヒンジＣ２と反対側のブリッジＤ２ｂに向かい封印リングＤ３の上端面との連設部の横断面面積が徐々に小さくなるようにそれぞれが形成されている。
【００２６】
封印リングＤ３の内周下端には、図１、図２（ｂ）に示すように、中栓本体Ｂ１の移行栓装着筒部６の係止突部１１と係合する係合突部４７が突設されている。
移行栓Ｄは、封印リングＤ３の上部が、閉蓋したヒンジキャップＣのキャップ本体Ｃ１の上壁２５より上にある高さでヒンジキャップＣ内に装着されるように形成されている。
【００２７】
次に、本実施例の使用態様と作用効果について説明する。
図１に示す本実施例の容器の組み立て工程としては、ヒンジキャップＣ内に移行栓Ｄを装着する際には、開蓋したヒンジキャップＣの上蓋Ｃ３の装着筒壁３３内に移行栓Ｄの栓本体Ｄ１を位置合わせして挿入し、栓本体Ｄ１の係合周壁部４２の係止突部４５に対して上蓋Ｃ３の装着筒壁３３の内周下端が乗り越え、係合凹部３６と係合させて、上蓋Ｃ３に移行栓Ｄを装着する。
その際、上蓋Ｃ３のヒンジＣ２側の位置合わせ突部３４が栓本体Ｄ１の係合周壁部４２の位置合わせ凹部４６に挿入される位置にないと装着が阻害されるので、上蓋Ｃ３と移行栓Ｄとは、位置合わせしないと装着されないようになっている。
また、移行栓Ｄは、封印リングＤ３の上部が、閉蓋したキャップ本体Ｃ１の上壁２５より上にある高さでヒンジキャップＣ内に装着されている。
【００２８】
注出中栓Ｂは、中栓本体Ｂ１内に弁部材Ｂ２を挿入し、係合させた後、固定部材Ｂ３を挿入し、係合させることで、中栓本体Ｂ１内に弁部材Ｂ２および固定部材Ｂ３を装着、固定させる。
【００２９】
つぎに、注出中栓ＢにヒンジキャップＣを装着する際には、閉蓋したヒンジキャップＣを、注出中栓Ｂの上方から被せていき、キャップ本体Ｃ１の内周壁２６の下端が中栓本体Ｂ１の容器嵌合部８の上壁１５上面に当接するとともに、内周壁２６内周の係合突部２８がキャップ装着筒部７の装着突部１３を乗り越え、係合し、キャップ本体Ｃ１は中栓本体Ｂ１に装着される。
また、上蓋Ｃ３内に装着した栓本体Ｄ１の密封栓部４１の外周が中栓本体Ｂ１の注出筒部５の内周に挿入され、密封するとともに、封印リングＤ３の係合突部４７が中栓本体Ｂ１の移行栓装着筒部６の係止突部１１を乗り越え、係合し、移行栓Ｄが中栓本体Ｂ１に装着される。
【００３０】
最後に、ヒンジキャップＣを装着した注出中栓Ｂを内容物を充填した容器本体Ａに装着する際には、中栓本体Ｂ１の容器嵌合部８の外筒１６および内筒１７を容器本体Ａの口筒部１の上部にあてがい、上方から打栓すると、係合突条２が係合凹部１８に嵌合し、注出中栓Ｂが容器本体Ａに装着され、組み立て工程は終了する。
【００３１】
本実施例における開蓋の際には、ヒンジキャップＣの上蓋Ｃ３の摘み片３５に指等を当て、上方に押し上げ、上蓋Ｃ３をヒンジＣ２を支点にキャップ本体Ｃ１に対して廻動させ、開蓋する。
その際、上蓋Ｃ３とともに上蓋Ｃ３に装着された移行栓Ｄの栓本体Ｄ１もヒンジＣ２を中心として廻動し、栓本体Ｄ１の密封栓部４１が中栓本体Ｂ１の注出筒部５から引き抜かれていき、開封されていく。
【００３２】
また、栓本体Ｄ１がヒンジＣ２と反対側から上方に引っ張られると、封印リングＤ３の係合突部４７と注出中栓Ｂの移行栓装着筒部６の係止突部１１と係合し、封印リングＤ３の上昇が規制されているので、栓本体Ｄ１と封印リングＤ３とを連結するブリッジＤ２に負荷が掛かり、ブリッジＤ２が破断されていく。
ブリッジＤ２は、栓本体Ｄ１の側周壁部４３の傾斜によりヒンジＣ２と反対側のブリッジＤ２ｂが一番高く、また、封印リングＤ３の上端面との連設部の横断面面積が一番小さいので、破断し易くなっており、簡単に破断される。
ブリッジＤ２ｂが破断されるとともに、ブリッジＤ２ｂからヒンジＣ２側のブリッジＤ２ａに向かい徐々に高さが低く、また、横断面積が徐々に大きく形成されているので、栓本体Ｄ１の上昇具合により最後の方になると破断し易くなるということがなく、一定の負荷でブリッジＤ２の破断を進めることができ、開蓋に対して掛かる力を一定に保つことができる。
【００３３】
最後は、ブリッジＤ２ａも破断され、ブリッジＤ２が全て破断されると、図３に示すように、栓本体Ｄ１が上蓋Ｃ３とともに開蓋される。
また、ブリッジＤ２が全て破断されることで、栓本体Ｄ１に連結されていた封印リングＤ３が切り離され、封印リングＤ３は、係合突部４７と移行栓装着筒部６の係止突部１１との係合が外れるとともに、移行栓装着筒部６の外周で、且つ上端がキャップ本体Ｃ１の上壁２５より下側に隠れるように下方に落ちる。
開蓋後に、容器を傾けて、容器本体Ａ内の内容物を注出中栓Ｂの弁部材Ｂ２を通し、中栓本体Ｂ１の注出筒部５から注出する。
【００３４】
閉蓋する際には、上蓋Ｃ３をヒンジＣ２を介してキャップ本体Ｃ１に対して閉蓋させると、上蓋Ｃ３に装着された栓本体Ｄ１の密封栓部４１が中栓本体Ｂ１の注出筒部５に挿入され、密封される。
【００３５】
最初の開蓋後は、移行栓ＤのブリッジＤ２が全て破断され、封印リングＤ３が移行栓装着筒部６の外周で、且つ上端がキャップ本体Ｃ１の上壁２５より下側に隠れるように下方に落ちた状態となるので、図４に示すように、透明または半透明である上蓋Ｃ３あるいはキャップ本体Ｃ１の外から中を見て、ブリッジＤ２の破断の有無及び封印リングＤ３が上壁２５より上にあるか無いかで、キャップの開封状態を視認することができ、不正開封を判別することができる。
【実施例２】
【００３６】
次に、第１実施例の移行栓の栓本体と封印リングとを連結する連結部の構成を変更した第２実施例について説明する。
以下、第１実施例と同一の構成部分には同一の符号を付し、相違点を中心に説明する。
図５、図６に示すように、Ａは容器本体、Ｂは容器本体Ａに装着され、注出口を有する注出中栓、Ｃは注出中栓Ｂに装着されるヒンジキャップ、Ｅは注出中栓Ｂの注出口を密封する移行栓である。
移行栓Ｅは、ヒンジキャップＣの上蓋Ｃ３に装着され、注出中栓Ｂの注出口を密封する栓本体Ｅ１と、栓本体Ｅ１の外周下端に破断可能な連結部Ｅ２を介して連結された封印リングＥ３とを具えている。
【００３７】
連結部Ｅ２は、図５に示すように、栓本体Ｅ１の側周壁部４３の下端面内縁から封印リングＥ３の上端面内縁との間に形成され、栓本体Ｅ１の側周壁部４３の傾斜に合わせてヒンジＣ２側からヒンジＣ２と反対側に向かい徐々に高さが高くなる破断可能な薄肉に凹設される弱化部５０が形成され、弱化部５０のヒンジＣ２と反対側に所定の範囲で切断窓５１が穿設されている。
切断窓５１の両側部は側方に向かって鋭角の角部が形成されている。
なお、栓本体Ｅ１の側周壁部４３の下端面は、傾斜していなくても構わないことから、弱化部５０の高さも一定幅で構わない。
【００３８】
次に、本実施例の使用態様と作用効果について説明する。
本実施例における開蓋の際に、上蓋Ｃ３とともに、上蓋Ｃ３に装着された移行栓Ｅの栓本体Ｅ１もヒンジＣ２を中心として廻動する。
栓本体Ｅ１がヒンジＣ２と反対側から上方に引っ張られると、封印リングＥ３は中栓本体Ｂ１との係合により上昇が規制されているので、栓本体Ｅ１と封印リングＥ３とを連結する連結部Ｅ２に負荷が掛かり、弱化部５０が破断されていく。
弱化部５０は、ヒンジＣ２と反対側に切断窓５１が穿設されており、切断窓５１は、上方に広げられるとともに、切断窓５１の両側が側方に向かって角部があるので、弱化部５０は、切断窓５１の両側に形成された角部の先端から破断し始め、一定の負荷で弱化部５０の破断を進めることができ、開蓋に対して掛かる力を一定に保つことができる。
【００３９】
最後は、弱化部５０が全て破断され、図６に示すように、栓本体Ｅ１が上蓋Ｃ３とともに開蓋される。
また、弱化部５０が全て破断されることで、栓本体Ｅ１に連結されていた封印リングＥ３が切り離され、封印リングＥ３は、上端がキャップ本体Ｃ１の上壁２５より下側に隠れるように下方に落ちるので、透明または半透明である上蓋Ｃ３の外から中を見て、連結部Ｅ２の破断の有無及び封印リングＥ３が上壁２５より上にあるか無いかで、キャップの開封状態を視認することができ、不正開封を判別することができる。
その他の作用効果は、実施例１と同じである。
【産業上の利用可能性】
【００４０】
本発明の封印付きヒンジキャップは、上蓋を開蓋するだけで簡単に開封することができ、容器使用時も上蓋を別に保管する必要がなく、最初の開蓋後に透明または半透明である上蓋の外から中を見て開封状態を容易に視認することができるので、不正開封を判別できる容器として広く利用可能である。
【符号の説明】
【００４１】
Ａ            容器本体
Ｂ            注出中栓
Ｂ１          中栓本体
Ｂ２          弁部材
Ｂ３          固定部材
Ｃ            ヒンジキャップ
Ｃ１          キャップ本体
Ｃ２          ヒンジ
Ｃ３          上蓋
Ｄ、Ｅ        移行栓
Ｄ１、Ｅ１    栓本体
Ｄ２、Ｄ２ａ、Ｄ２ｂ    ブリッジ（連結部）
Ｄ３、Ｅ３    封印リング
Ｅ２          連結部
１            口筒部
２            係合突条
５            注出筒部
６            移行栓装着筒部
７            キャップ装着筒部
８            容器嵌合部
９            ラッパ状湾曲部
１０            弁部材係合部
１１、４５      係止突部
１２            固定部材係合リブ
１３            装着突部
１４、４７、２８      係合突部
１５、２５、４０      上壁  
１６            外筒
１７            内筒
１８、３６      係合凹部
１９            分離タブ
２０、３０      頂壁  
２１            係合筒
２２            スリット
２３            筒壁
２４            フランジ壁
２６            内周壁
２７            外周壁
３１            側周壁
３３            装着筒壁
３４            位置合わせ突部
３５            摘み片
４１            密封栓部
４２            係合周壁部
４３            側周壁部
４６            位置合わせ凹部
５０            弱化部
５１            切断窓
【図１】
2018104073.tif 000003
【図２】
2018104073.tif 000004
【図３】
2018104073.tif 000005
【図４】
2018104073.tif 000006
【図５】
2018104073.tif 000007
【図６】
2018104073.tif 000008